(57)【要約】【課題】グリル付きドロップイン式コンロにおいて、コンロ本体の前面のグリル扉４ａの横方向両側の部分に設けられる左右一対のパネル取付け部９Ｌ，９Ｒに、コンロ本体よりも横方向外方に張り出すエンドピース部６ａが一体に形成された左右一対の前面パネル６Ｌ，６Ｒを正確に位置決めして簡単に取付けられるようにする。【解決手段】前面パネル６Ｌ，６Ｒは、金属の押し出し成形品で構成され、前面パネルの上下の各縁に、パネル取付け部９Ｌ，９Ｒの上下の各縁に重なる後方への延出部６ｂが押し出し成形で形成される。パネル取付け部の上下の各縁のグリル扉側の端部に設けた突起９ａに、前面パネルの各延出部６ｂのグリル扉側の端縁に形成した切欠き部６ｃを係合させ、エンドピース部６ａの裏面の連結部材６ｄに形成した雄型係合部６ｅをパネル取付け部の外側面の雌型係合部９ｂに係合させる。【選択図】図４
2006349194.tif 000002
【特許請求の範囲】
【請求項１】
カウンタトップに開設したコンロ開口に落とし込むようにして設置される、グリルを内蔵するコンロ本体を備え、横方向中間にグリル扉が配置されたコンロ本体の前面部分をカウンタトップの下側で前方に露出させるグリル付きドロップイン式コンロであって、コンロ本体の前面のグリル扉の横方向両側の部分に設けられる左右一対のパネル取付け部に左右一対の前面パネルが取付けられ、各前面パネルに、コンロ本体よりも横方向外方に張り出すエンドピース部が一体に形成されているものにおいて、
各前面パネルは金属の押し出し成形品で構成され、各前面パネルの上縁と下縁とに、夫々、各パネル取付け部の上縁と下縁とに重なる後方への延出部が押し出し成形で形成され、
各パネル取付け部の上縁と下縁とに、グリル扉側の端部に位置する上下方向の突起が設けられると共に、各前面パネルの上縁と下縁の各延出部のグリル扉側の端縁に、各パネル取付け部の上縁と下縁の各突起に係合する切欠き部が形成されて、各前面パネルが各パネル取付け部に対し突起を支点にして前後方向に揺動自在となるようにすると共に、
各前面パネルのエンドピース部の裏面に、後方にのびる舌片状の雄型係合部を有する連結部材が固定され、各パネル取付け部の横方向の外側面に、雄型係合部を前方から挿入可能な雌型係合部が形成され、雌型係合部に雄型係合部を挿入することで雄型係合部が横方向内方に押されると共に、雌型係合部に対し雄型係合部が抜け止めされることを特徴とするグリル付きドロップイン式コンロ。
【請求項２】
前記各前面パネルの裏面と前記各パネル取付け部の前面との間に隙間を空けた状態でで、各前面パネルが各パネル取付け部に取付けられることを特徴とする請求項１記載のグリル付きドロップイン式コンロ。
【請求項３】
前記各前面パネルの裏面に、押し出し成形で複数の突条が形成されていることを特徴とする請求項２記載のグリル付きドロップイン式コンロ。
【請求項４】
前記コンロ本体内の前部に、前記グリルの横方向両側に位置させて、コンロの熱源用の操作盤を前方に引き出し自在に収納する左右一対の収納箱が配置され、前記各前面パネルに操作盤を通す開口が形成されると共に、各収納箱の前端に該各収納箱の周囲に広がるフランジが形成され、このフランジで前記各パネル取付け部が構成されることを特徴とする請求項１〜３の何れか１項に記載のグリル付きドロップイン式コンロ。
【発明の詳細な説明】
【技術分野】
【０００１】
本発明は、カウンタトップに開設したコンロ開口に落とし込むようにして設置される、グリルを内蔵するコンロ本体を備え、横方向中間にグリル扉が配置されたコンロ本体の前面部分をカウンタトップの下側で前方に露出させるグリル付きドロップイン式コンロに関する。
【背景技術】
【０００２】
従来、この種のグリル付きドロップイン式コンロでは、コンロ本体の前面のグリル扉の横方向両側の部分に設けられる左右一対のパネル取付け部に、左右一対の前面パネルが取付けられている。尚、前面パネルは、一般的に、金属板のプレス成形品或いは樹脂成形品で構成される。
【０００３】
ところで、ドロップイン式コンロでは、カウンタトップへのコンロ本体の設置作業を容易にするため、コンロ本体の横幅をカウンタトップの下に確保するコンロ設置空間の横幅よりも狭くしており、コンロ本体の左右の各外側面とコンロ設置空間の左右の各側面との間に隙間を生ずる。そこで、一般的には、コンロ本体の設置作業後に、上記隙間を目隠しするエンドピースをコンロ本体の左右の各外側面に取付けている。然し、これでは、前面パネルの取付け公差やコンロ本体の加工公差等により、前面パネルに対しエンドピースの前端部が上下方向や前後方向に位置ずれして、体裁を損なうことがある。
【０００４】
かかる不具合を解消するため、左右の各前面パネルに、コンロ本体よりも横方向外方に張り出すエンドピース部を一体に形成し、コンロ本体の設置後に、コンロ本体の前面の各パネル取付け部に各前面パネルを取付けて、コンロ本体の外側面とコンロ設置空間の側面との間の隙間をエンドピース部で目隠しするようにしたものも知られている(例えば、特許文献１，２参照)。
【０００５】
ここで、上記特許文献１に記載のものでは、パネル取付け部の横方向外端部に横向きに開口する挿通穴を形成すると共に、パネル取付け部の前面の上下に複数の嵌合穴を形成し、一方、前面パネルのエンドピース部に横方向外方から挿通穴に挿入される係止爪を形成すると共に、前面パネルの裏面の上下に嵌合穴に対応する複数のフックを形成し、各フックを各嵌合穴に挿入した後、前面パネルを横方向内方にずらして、各フックをパネル取付け部の裏面に係合させると共に、係止爪を挿通穴に挿入して抜け止めさせるようにしている。また、上記特許文献２に記載のものでは、前面パネルの裏面にマグネットプレートを取り付け、鉄系材料で形成されるパネル取付け部に前面パネルをマグネットプレートの磁力で吸着させるようにしている。
【特許文献１】特許第３４４２５６９号公報(００１５〜００１９、図１、図３〜図５)
【特許文献２】特開２００４−２４５４４５号公報(００１２，００１３、図１、図４)
【発明の開示】
【発明が解決しようとする課題】
【０００６】
上記特許文献１に記載の従来例では、前面パネルをパネル取付け部に正確に位置決めしてしっかりと取付けることができるが、前面パネルの取付けに際し、前面パネルの複数のフックをパネル取付け部の複数の嵌合穴に位置合わせして挿入する必要があって、この位置合わせが面倒になり、また、各フックを各嵌合穴に挿入した後に前面パネルを横方向内方にずらすため、前面パネルのエンドピース部とコンロ設置空間の側面との間に隙間が空き、体裁を損なう。
【０００７】
一方、上記特許文献２に記載の従来例では、前面パネルの取付けが簡単になると共に、前面パネルの取付けに際してこれを横方向内方にずらす必要がないため、前面パネルのエンドピース部とコンロ設置空間の側面との間に隙間が空くことを防止できるが、前面パネルはマグネットプレートの磁力でパネル取付け部に吸着されているだけであるため、前面パネルをパネル取付け部に正確に位置決めして取付けることができない。その結果、前面パネルに外力が加えられたり衝撃が作用すると、前面プレートのずれを生じ、また、グリルからの熱影響でマグネットプレートの磁力が弱まり、前面プレートが外れてしまう虞もある。
【０００８】
本発明は、以上の点に鑑み、コンロ本体の設置後にエンドピース部を有する前面パネルをパネル取付け部に正確に位置決めしてしっかりと、且つ、簡単に取付けられるようにすると共に、エンドピース部とコンロ設置空間の側面との間に隙間が空くことも防止できるようにし、更に、高級感を醸し出すことができるようにしたグリル付きドロップイン式コンロを提供することをその課題としている。
【課題を解決するための手段】
【０００９】
上記課題を解決するために、本発明は、カウンタトップに開設したコンロ開口に落とし込むようにして設置される、グリルを内蔵するコンロ本体を備え、横方向中間にグリル扉が配置されたコンロ本体の前面部分をカウンタトップの下側で前方に露出させるグリル付きドロップイン式コンロであって、コンロ本体の前面のグリル扉の横方向両側の部分に設けられる左右一対のパネル取付け部に左右一対の前面パネルが取付けられ、各前面パネルに、コンロ本体よりも横方向外方に張り出すエンドピース部が一体に形成されているものにおいて、各前面パネルは金属の押し出し成形品で構成され、各前面パネルの上縁と下縁とに、夫々、各パネル取付け部の上縁と下縁とに重なる後方への延出部が押し出し成形で形成され、各パネル取付け部の上縁と下縁とに、グリル扉側の端部に位置する上下方向の突起が設けられると共に、各前面パネルの上縁と下縁の各延出部のグリル扉側の端縁に、各パネル取付け部の上縁と下縁の各突起に係合する切欠き部が形成されて、各前面パネルが各パネル取付け部に対し突起を支点にして前後方向に揺動自在となるようにすると共に、各前面パネルのエンドピース部の裏面に、後方にのびる舌片状の雄型係合部を有する連結部材が固定され、各パネル取付け部の横方向の外側面に、雄型係合部を前方から挿入可能な雌型係合部が形成され、雌型係合部に雄型係合部を挿入することで雄型係合部が横方向内方に押されると共に、雌型係合部に対し雄型係合部が抜け止めされることを特徴とする。
【００１０】
本発明によれば、コンロ本体の設置後、前面パネルの上下各縁の延出部の切欠き部をパネル取付け部の上下各縁の突起に係合させ、突起を支点にして前面パネルを後方に揺動させることで、雄型係合部が雌型係合部に挿入される。そして、この挿入で雄型係合部が横方向内方に押されるため、突起を基準にして前面パネルが横方向に正確に位置決めされ、また、前面パネルの上下各縁の延出部がパネル取付け部の上下の各縁に重なることで、前面パネルが上下方向にも正確に位置決めされ、更に、突起に対する切欠き部の係合及び雌型係合部に対する雄型係合部の係合により前面パネルは前後方向にも位置決めされ、この状態でしっかりとパネル取付け部に取付けられる。ここで、前面パネルの上下各縁の延出部に形成した切欠き部の突起への係合は、該各延出部のグリル扉側の端部をパネル取付け部の上下の各縁部に重ねた状態で該各縁部をガイドにして各延出部をスライドさせることにより容易に行うことができ、その後、前面パネルを後方に揺動するだけで前面パネルの取付けを行うことができるため、前面パネルの取付け作業は非常に簡単になる。また、前面パネルの取付けに際し、前面パネルを横方向内方にずらす必要がないため、エンドピース部とコンロ設置空間の側面との間に隙間が空くことも防止できる。
【００１１】
また、本発明では、前面パネルが金属の押し出し成形品で構成されるため、金属板のプレス成形品や樹脂成形品から成る前面パネルに比し重厚且つ流麗で高級感を醸し出すことができる。加えて、前面パネルの上下各縁の延出部を押し出し成形により高精度で形成できるため、前面パネルの位置決め精度が向上し、更に、前面パネルの剛性が高くなり、前面パネルの横方向中間部にパネル取付け部に対する係合部がなくても、前面パネルをその中間部の浮きを生ずることなくパネル取付け部に確実に取付けることができる。
【００１２】
尚、前面パネルは、前面パネルの裏面とパネル取付け部の前面との間に隙間を空けた状態でパネル取付け部に取付けられることが望ましい。これによれば、グリルからの熱がパネル取付け部を介して前面パネルに伝わることを抑制できる。この場合、前面パネルの裏面に、押し出し成形で複数の突条を形成しておけば、前面パネルの剛性を一層高めることができ、有利である。
【００１３】
ところで、コンロ本体内の前部に、グリルの横方向両側に位置させて、コンロの熱源用の操作盤を前方に引き出し自在に収納する左右一対の収納箱を配置し、常時は操作盤を収納箱に収納できるようにして、コンロ前面をスッキリした感じにすることが考えられる。この場合、各前面パネルに操作盤を通す開口を形成するが、操作盤の収納時に操作盤の前面部が全周に亘り均等なクリアランスを存して前面パネルの開口に収まらないと、体裁を損なうため、前面パネルと操作盤との間の位置精度を確保することが必要になる。ここで、各収納箱の前端に該各収納箱の周囲に広がるフランジが形成され、このフランジで前記各パネル取付け部が構成されていれば、各前面パネルが各収納箱に対し直接位置決めされることになり、各収納箱に収納される操作盤と前面パネルとの間の位置精度も確保され、有利である。
【発明を実施するための最良の形態】
【００１４】
図１は、システムキッチンのカウンタトップＣＴ(図２参照)に組み込むドロップイン式ガスコンロを示している。このコンロは、上面を開放面とする箱形のコンロ本体１を備えている。コンロ本体１の上縁には、図２に示す如く、外曲げフランジ１ａが形成されており、コンロ本体１をカウンタトップＣＴに開設したコンロ開口ＣＴａに落とし込んだ状態で、外曲げフランジ１ａをコンロ開口ＣＴａの開口縁部に掛止して、コンロ本体１をカウンタトップＣＴに吊持させている。そして、カウンタトップＣＴ上に載置する天板２によりコンロ本体１を外曲げフランジ１ａに亘って上方から覆うようにしている。
【００１５】
コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置すると共に、天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。また、図示しないが、各コンロバーナ３とグリル４に設けるグリルバーナ(図示せず)に対する各ガス通路には電動バルブが介設されており、コンロ本体１内のコントローラが後述する操作盤７Ｌ，７Ｒからの信号に応じて各電動バルブを制御し、これら各バーナの点消火と火力調節が行われる。
【００１６】
カウンタトップＣＴの下側で前方に露出するコンロ本体１の前面部分には、横方向中間に位置させてグリル扉４ａが配置され、また、グリル扉４ａの横方向両側に位置させて左右一対の前面パネル６Ｌ，６Ｒが配置されている。尚、グリル扉４ａは、コンロ本体１の横方向中央部から左側に偏倚しており、右側の前面パネル６Ｒの方が左側の前面パネル６Ｌより横方向長さが長くなっている。
【００１７】
また、コンロ本体１内の前部には、グリル４の横方向両側に位置させて、図２、図３に示す如く、コンロバーナ３及びグリルバーナから成るコンロの熱源を操作する左右一対の操作盤７Ｌ，７Ｒを夫々前後方向に移動自在に収納する左右一対の樹脂製の収納箱８Ｌ，８Ｒが配置されている。各収納箱８Ｌ，８Ｒの前端には、図２、図４に示す如く、該各収納箱８Ｌ，８Ｒの周囲に広がる方形のフランジ８ａが形成されている。フランジ８ａの背面には、額縁状の金属製取付け枠８ｂが固定されており、各収納箱８Ｌ，８Ｒを取付け枠８ｂを介してコンロ本体１に取付けている。そして、左右の収納箱８Ｌ，８Ｒのフランジ８ａ，８ａにより、コンロ本体１の前面のグリル扉４ａの横方向両側の部分に設けられる左右一対のパネル取付け部９Ｌ，９Ｒを構成し、これらパネル取付け部９Ｌ，９Ｒに左右の前面パネル６Ｌ，６Ｒを取付けている。
【００１８】
各前面パネル６Ｌ，６Ｒには、コンロ本体１よりも横方向外方に張り出すエンドピース部６ａが一体に形成されている。そして、コンロ本体１をコンロ開口ＣＴａに落とし込むようにしてカウンタトップＣＴに設置した後に、各前面パネル６Ｌ，６Ｒを各パネル取付け部９Ｌ，９Ｒに取付け、カウンタトップＣＴの下に確保するコンロ設置空間の左右の各側面とコンロ本体１の左右の各外側面との間に生ずる隙間をエンドピース部６ａで目隠しできるようにしている。
【００１９】
各前面パネル６Ｌ，６Ｒは、アルミニウム等の金属の押し出し成形品で構成されている。そして、各前面パネル６Ｌ，６Ｒの上縁と下縁とに、夫々、各パネル取付け部９Ｌ，９Ｒの上縁と下縁とに重なる後方への延出部６ｂが押し出し成形で形成されている。また、各パネル取付け部９Ｌ，９Ｒの上縁と下縁とに、グリル扉４ａ側の端部に位置する上下方向の突起９ａが設けられると共に、各前面パネル６Ｌ，６Ｒの上縁と下縁の各延出部６ａのグリル扉４ａ側の端縁に切欠き部６ｃが形成され、各切欠き部６ｃを各パネル取付け部９Ｌ，９Ｒの上縁と下縁の各突起９ａに係合させることで、各前面パネル６Ｌ，６Ｒが、図４に示す如く、各パネル取付け部９Ｌ，９Ｒに対し突起９ａを支点にして前後方向に揺動自在となるようにしている。
【００２０】
各前面パネル６Ｌ，６Ｒのエンドピース部６ａの裏面には、後方にのびる舌片状の雄型係合部６ｅを有する樹脂製の連結部材６ｄが固定され、また、各パネル取付け部９Ｌ，９Ｒの横方向の外側面には、取付け枠８ｂのブリッジ状の切起し部で構成される雌型係合部９ｂが形成され、図５に示す如く、雄型係合部６ｅを雌型係合部９ｂに前方から挿入可能としている。そして、雌型係合部９ｂに雄型係合部６ｅを挿入することで雄型係合部６ｄが横方向内方に押されると共に、雄型係合部６ｅの外側面の先端側の段部６ｆが雌型係合部９ｂの後縁に係合して、雌型係合部９ｂに対し雄型係合部６ｅが抜け止めされるようにしている。
【００２１】
前面パネル６Ｌ，６Ｒの取付けに際しては、先ず、前面パネル６Ｌ，６Ｒの上下各縁の延出部６ｂの切欠き部６ｃをパネル取付け部９Ｌ，９Ｒの上下各縁の突起９ａに係合させる。次に、突起９ａを支点にして前面パネル６Ｌ，６Ｒを後方に揺動させ、雄型係合部６ｅを雌型係合部９ｂに挿入する。これによれば、雌型係合部９ｂにより雄型係合部６ｅが横方向内方に押されるため、突起９ａを基準にして前面パネル６Ｌ，６Ｒが横方向に正確に位置決めされ、また、前面パネル６Ｌ，６Ｒの上下各縁の延出部６ｂがパネル取付け部９Ｌ，９Ｒの上下の各縁に重なることで、前面パネル６Ｌ，６Ｒが上下方向にも正確に位置決めされ、更に、突起９ａに対する切欠き部６ｃの係合及び雌型係合部９ｂに対する雄型係合部６ｅの係合により前面パネル６Ｌ，６Ｒは前後方向にも位置決めされ、この状態でしっかりとパネル取付け部９Ｌ，９Ｒに取付けられる。
【００２２】
ここで、前面パネル６Ｌ，６Ｒの上下各縁の延出部６ｂに形成した切欠き部６ｃの突起９ａへの係合は、該各延出部６ｂのグリル扉４ａ側の端部をパネル取付け部９Ｌ，９Ｒの上下の各縁部に重ねた状態で該各縁部をガイドにして各延出部６ｂをスライドさせることにより容易に行うことができる。その後、前面パネル６Ｌ，６Ｒを後方に揺動するだけで前面パネル６Ｌ，６Ｒの取付けを行うことができるため、前面パネル６Ｌ，６Ｒの取付け作業は非常に簡単になる。また、前面パネル６Ｌ，６Ｒの取付けに際し、前面パネル６Ｌ，６Ｒを横方向内方にずらす必要がないため、エンドピース部６ａとコンロ設置空間の側面との間に隙間が空くことも防止できる。
【００２３】
また、本実施形態では、前面パネル６Ｌ，６Ｒが金属の押し出し成形品で構成されるため、金属板のプレス成形品や樹脂成形品から成る前面パネルに比し重厚且つ流麗で高級感を醸し出すことができる。加えて、前面パネル６Ｌ，６Ｒの上下各縁の延出部６ｂを押し出し成形により高精度で形成できるため、前面パネル６Ｌ，６Ｒの位置決め精度が向上し、更に、前面パネル６Ｌ，６Ｒの剛性が高くなり、前面パネル６Ｌ，６Ｒの横方向中間部にパネル取付け部９Ｌ，９Ｒに対する係合部がなくても、前面パネル６Ｌ，６Ｒをその中間部の浮きを生ずることなくパネル取付け部９Ｌ，９Ｒに確実に取付けることができる。
【００２４】
尚、本実施形態では、各パネル取付け部９Ｌ，９Ｒの上下の各縁の後部に段部９ｃ(図２参照)を形成し、各パネル取付け部９Ｌ，９Ｒに上記の如く各前面パネル６Ｌ，６Ｒを取付けたとき、各前面パネル６Ｌ，６Ｒの裏面と各パネル取付け部９Ｌ，９Ｒの前面との間に隙間を空けた状態で、各前面パネル６Ｌ，６Ｒの上下の各延出部６ｂの後縁が段部９ｃに当接するようにしている。かくして、前面パネル６Ｌ，６Ｒの裏面とパネル取付け部９Ｌ，９Ｒの前面との間の隙間が断熱空間となり、グリル４からの熱がパネル取付け部９Ｌ，９Ｒを介して前面パネル６Ｌ，６Ｒに伝わることを抑制できる。
【００２５】
更に、本実施形態では、各前面パネル６Ｌ，６Ｒの裏面に、図２、図４に示す如く、上下各縁の延出部６ｂに加えて、複数の突条６ｇを押し出し成形で形成し、前面パネル６Ｌ，６Ｒの剛性アップを図っている。尚、本実施形態では、突条６ｇがパネル取付け部９Ｌ，９Ｒの前面に接するようにしているが、突条６ｇはパネル取付け部９Ｌ，９Ｒの前面に対し非接触であっても良い。
【００２６】
また、各前面パネル６Ｌ，６Ｒには、押し出し成形後の後加工で、上記各操作盤７Ｌ，７Ｒが通る横長の開口６ｈが形成されている。各操作盤７Ｌ，７Ｒは、常時は各収納箱８Ｌ，８Ｒに収納された状態(図１、図２に示す状態)に図示省略した係止機構で係止される。そして、各操作盤７Ｌ，７Ｒを後方に軽く押すと係止機構による係止が解かれ、各操作盤７Ｌ，７Ｒが各収納箱８Ｌ，８Ｒ内に設けた付勢機構(図示せず)により各収納箱８Ｌ，８Ｒに対し前方に移動し、各前面パネル６Ｌ，６Ｒの開口６ｈを通してコンロ本体１の前方に突出する。尚、各収納箱８Ｌ，８Ｒは、図２に示す如く、若干前下がりに傾斜しており、各操作盤７Ｌ，７Ｒも若干前下がりに傾斜した姿勢でコンロ本体１の前方に突出する。
【００２７】
ここで、右側の操作盤７Ｒは左右と後部の３個のコンロバーナ３用の操作盤であり、左側の操作盤７Ｌはグリルバーナ用の操作盤である。各操作盤７Ｌ，７Ｒの上面は、図２、図３に示されているように、前部７ａが後部７ｂより低い段付き面に形成されている。そして、右側の操作盤７Ｒの上面前部７ａに、３個のコンロバーナ３の夫々のオンオフ操作(点消火操作)及び加熱量の調節(火力調節)を行う３個の操作摘み７１を配置すると共に、各操作摘み７１の近傍に温調機能や調理タイマ機能といった各種機能の選択や設定を行うキータイプの機能スイッチ７２を配置し、右側の操作盤７Ｒの上面後部７ｂに、各コンロバーナ３の火力、選択された機構、タイマの残り時間等を表示する液晶式の表示部７３を配置している。また、左側の操作盤７Ｌの上面前部７ａに、グリルバーナのオンオフ操作(点消火操作)及び加熱量の調節(火力調節)を行う操作摘み７１と、グリルの各種機能の選択や設定を行うキータイプの機能スイッチ７２とを配置し、左側の操作盤７Ｌの上面後部７ｂに、グリルバーナの火力、選択された機能、タイマの残り時間等を表示する液晶式の表示部７３と、レンジフードの照明のオンオフ、換気のオンオフ、風量の切換を行うレンジフード用の３個の押しボタン式スイッチ７２´とを配置している。このように操作盤７Ｌ，７Ｒに機能スイッチ７２に加えてバーナの点消火操作及び火力調節を行う操作摘み７１を配置することにより、前面パネル６Ｌ，６Ｒには、操作部材が一切配置されなくなり、コンロ前面がスッキリして体裁が良くなる。
【００２８】
各操作摘み７１は、プッシュプッシュ機構(図示せず)により操作盤７Ｌ，７Ｒの上面に出没自在である。そして、各操作摘み７１を１回目の押し操作で上方に突出させたとき、対応するバーナに点火され、各操作摘み７１を突出状態で回転することにより対応するバーナの火力調節が行われ、各操作摘み７１を２回目の押し操作で下方に没入させたとき、対応するバーナが消火される。操作摘み７１を上方に突出させて対応するバーナに点火すると共に、操作摘み７１の回転でバーナの火力を調節した後は、操作盤７Ｌ，７Ｒを収納箱８Ｌ，８Ｒに収納して、操作盤７Ｌ，７Ｒがユーザの邪魔にならないようにする。この場合、突出状態の操作摘み７１が収納箱８Ｌ，８Ｒに干渉すると、操作盤７Ｌ，７Ｒを収納箱８Ｌ，８Ｒに収納できなくなるが、操作摘み７１は操作盤７Ｌ，７Ｒの上面後部７ｂより低い上面前部７ａに配置されるため、収納箱８Ｌ，８Ｒへの操作摘み７１の干渉を生ずることなく操作盤７Ｌ，７Ｒを収納箱８Ｌ，８Ｒに収納できる。尚、操作摘み７１を没入不能とし、操作摘み７１の回転だけでバーナの点消火と火力調節とを行うように構成することも可能である。
【００２９】
各操作盤７Ｌ，７Ｒの前端面の前側には、各操作盤７Ｌ，７Ｒに連動して前後方向に動く前カバー７４が設けられている。前カバー７４は、図２に示す如く、各収納箱８Ｌ，８Ｒへの各操作盤７Ｌ，７Ｒの収納時に、各操作盤７Ｌ，７Ｒの前端面を該各操作盤７Ｌ，７Ｒの上面前部７ａと各収納箱８Ｌ，８Ｒの上壁面との間に生ずる隙間を含めて前方から覆うように形成されている。従って、該各操作盤７Ｌ，７Ｒの上面前部７ａを低く形成することで、これと各収納箱８Ｌ，８Ｒの上壁面との間の隙間が大きくなっても、各操作盤７Ｌ，７Ｒの収納時にこの隙間は前カバー７４で目隠しされ、体裁を損なうことはない。
【００３０】
尚、各操作盤７Ｌ，７Ｒの上面後部７ｂを上面前部７ａと同様に低くすると、上面後部７ｂと収納箱８Ｌ，８Ｒの上壁面との間の隙間が大きくなり、操作盤７Ｌ，７Ｒの突出時にこの隙間が外観に現われて体裁を損なう。一方、本実施形態では、各操作盤７Ｌ，７Ｒの上面後部７ｂが上面前部７ａより高くなっているため、上面後部７ｂと収納箱８Ｌ，８Ｒの上壁面との間の隙間が小さくなり、操作盤７Ｌ，７Ｒの突出時にこの隙間が外観に現われても然程目立たず、体裁を損なうことはない。
【００３１】
また、前カバー７４は、図２、図３に示す如く、各操作盤７Ｌ，７Ｒの外側面に沿って後方にのびるレバー部７４ａを備えており、レバー部７４ａの後端部を各操作盤７Ｌ，７Ｒの外側面の後部に支軸７４ｂを介して軸着している。かくして、前カバー７４は、レバー部７４ａを介して各操作盤７Ｌ，７Ｒに上下方向に揺動自在に支持される。尚、各収納箱８Ｌ，８Ｒの側壁には、図３、図４に示す如く、支軸７４ｂを案内する前後方向に長手のスリット８ｃが形成されている。そして、各操作盤７Ｌ，７Ｒがコンロ本体１の前方に突出したとき、前カバー７４が支軸７４ｂを支点にして自重で下方に揺動し、前カバー７４の上縁が操作盤７Ｌ，７Ｒの上面前部７ａより低くなる位置に前カバー７４が変位する。従って、操作摘み７１を操作する際に指が前カバー７４に当たることを防止でき、操作摘み７１の操作性は前カバー７４を設けても良好に維持される。
【００３２】
尚、各操作盤７Ｌ，７Ｒがコンロ本体１の前方に突出したときに、前カバー７４をカム機構やリンク機構を用いて下方に変位させることも可能であるが、本実施形態の如く前カバー７４が自重で下方に変位するように構成すれば、前カバー７４を上下方向に変位させる特別の機構が不要になり、コストダウンを図る上で有利である。
【００３３】
各操作盤７Ｌ，７Ｒを各収納箱８Ｌ，８Ｒに収納した状態では、前カバー７４が各前面パネル６Ｌ，６Ｒの開口６ｈに入り込む。この場合、前カバー７４の周縁と開口６ｈとの間のクリアランスが不均一になると体裁を損なう。ここで、本実施形態では、各パネル取付け部９Ｌ，９Ｒが各収納箱８Ｌ，８Ｒの前端に形成したフランジ８ａで構成されているため、各前面パネル６Ｌ，６Ｒが各収納箱８Ｌ，８Ｒに対し直接位置決めされることになる。従って、各収納箱８Ｌ，８Ｒに収納される操作盤７Ｌ，７Ｒ及びその前カバー７４と各前面パネル６Ｌ，６Ｒとの間の位置精度も確保される。その結果、前カバー７４がその周囲に均等なクリアランスを存した状態で各前面パネル６Ｌ，６Ｒの開口６ｈに収まるようになり、体裁を損なうことはない。
【００３４】
尚、コンロバーナ３やグリルバーナを消火する際は、収納した操作盤７Ｌ，７Ｒを再度突出させて操作摘み７１を操作するが、吹き零れ等を生じて緊急に消火したい場合もあることを考慮すると、天板２に各バーナに対応するタッチスイッチ等のスイッチを設け、このスイッチの操作でもバーナを消火できるようすることが望ましい。
【００３５】
以上、グリル付きのドロップイン式ガスコンロに本発明を適用した実施形態について説明したが、ガスコンロ以外のコンロ、例えば熱源として電気ヒータを用いる電気コンロ、更には、熱源として電磁誘導コイルを用いるＩＨコンロにも同様に本発明を適用できる。また、操作盤７Ｌ，７Ｒを設けずに、熱源用の操作部材を前面パネル６Ｌ，６Ｒに配置することも可能である。
【図面の簡単な説明】
【００３６】
【図１】本発明コンロの実施形態の全体斜視図。
【図２】図１のＩＩ−ＩＩ線で切断したコンロ前部の切断側面図。
【図３】実施形態のコンロ前部(コンロ本体は省略)の操作盤を突出させた状態の斜視図。
【図４】実施形態のコンロ前部(コンロ本体は省略)の前面パネル取付け作業中の状態を示す斜視図。
【図５】図１のＶ−Ｖ線で切断した前面パネル及びパネル取付け部の側端部の切断平面図。
【符号の説明】
【００３７】
ＣＴ…カウンタトップ、ＣＴａ…コンロ開口、１…コンロ本体、３…コンロバーナ(熱源)、４…グリル、４ａ…グリル扉、６Ｌ，６Ｒ…前面パネル、６ａ…エンドピース部、６ｂ…延出部、６ｃ…切欠き部、６ｄ…連結部材、６ｅ…雄型係合部、６ｇ…突条、６ｈ…操作盤を通す開口、７Ｌ，７Ｒ…操作盤、８Ｌ，８Ｒ…収納箱、８ａ…フランジ、９Ｌ，９Ｒ…パネル取付け部、９ａ…突起、９ｂ…雌型係合部。
【図１】
2006349194.tif 000003
【図２】
2006349194.tif 000004
【図３】
2006349194.tif 000005
【図４】
2006349194.tif 000006
【図５】
2006349194.tif 000007